(57)【要約】【課題】高精度に反射面を決定する。【解決手段】画像形成装置は、回転多面鏡による反射光を検知し、検知したタイミングを示す信号を出力する検知手段と、回転多面鏡の複数の反射面それぞれの周期情報を格納する格納手段と、検知手段が出力する信号が示す隣接するタイミング間の検出期間と周期情報とに基づき、複数の反射面のうちの光を反射する反射面を特定する特定処理を行う制御手段と、を備え、制御手段は、特定処理において、検知手段が反射光を検知すると、信号の検知を行わないマスク期間を設定し、特定処理の開始後、検知手段が反射光を最初に検知してから回転多面鏡が１回転するまでの間、複数の反射面それぞれの周期情報が示す期間のうちの最も短い期間に基づきマスク期間を設定する。【選択図】図５
2019211602.tif 000002
【特許請求の範囲】
【請求項１】
感光体と、
複数の反射面を有し、回転駆動されることで前記複数の反射面それぞれで反射された反射光により前記感光体を走査する回転多面鏡と、
前記回転多面鏡による反射光を検知し、検知したタイミングを示す信号を出力する検知手段と、
前記複数の反射面それぞれの周期情報であって、反射面の周期情報は、当該反射面で反射された光を前記検知手段が検知してから当該反射面の次の反射面で反射された光を前記検知手段が検知するまでの期間を示す、前記周期情報を格納する格納手段と、
前記検知手段が出力する前記信号が示す隣接するタイミング間の検出期間と前記周期情報とに基づき、前記複数の反射面のうちの光を反射する反射面を特定する特定処理を行う制御手段と、を備え、
前記制御手段は、
前記特定処理において、前記検知手段が前記反射光を検知すると、前記信号の検知を行わないマスク期間を設定し、
前記特定処理の開始後、前記検知手段が前記反射光を最初に検知してから前記回転多面鏡が１回転するまでの間、前記複数の反射面それぞれの周期情報が示す期間のうちの最も短い期間に基づき、前記マスク期間を設定することを特徴とする画像形成装置。
【請求項２】
前記制御手段は、前記特定処理の開始後、前記検知手段が前記反射光を最初に検知してから前記回転多面鏡が１回転するまでの間、前記複数の反射面それぞれの周期情報が示す期間のうちの最も短い期間から所定のマージンを減じた期間を前記マスク期間として設定することを特徴とする請求項１に記載の画像形成装置。
【請求項３】
前記制御手段は、前記特定処理において、前記回転多面鏡の（ｋ−１）回転目（ｋは２以上の整数）における前記検出期間に基づき、前記回転多面鏡のｋ回転目における前記マスク期間を設定することを特徴とする請求項１又は２に記載の画像形成装置。
【請求項４】
前記回転多面鏡は、ｐ個（ｐは２以上の整数）の反射面を有し、
前記制御手段は、前記特定処理において、前記回転多面鏡の（ｋ−１）回転目におけるｑ番目（ｑは１からｐの整数）の前記検出期間に基づき、前記回転多面鏡のｋ回転目において、前記検知手段がｑ番目に前記反射光を検出した際の前記マスク期間を設定することを特徴とする請求項３に記載の画像形成装置。
【請求項５】
前記制御手段は、前記回転多面鏡の（ｋ−１）回転目におけるｑ番目の前記検出期間から所定のマージンを減じた期間を、前記回転多面鏡のｋ回転目において、前記検知手段がｑ番目に前記反射光を検出した際の前記マスク期間として設定することを特徴とする請求項４に記載の画像形成装置。
【請求項６】
前記制御手段は、所定値より短い検出期間を検出すると、当該検出期間の開始のタイミングを無効とすることを特徴とする請求項１から５のいずれか１項に記載の画像形成装置。
【請求項７】
前記所定値は、前記複数の反射面それぞれの周期情報が示す期間のうちの最も短い期間であることを特徴とする請求項６に記載の画像形成装置。
【請求項８】
前記制御手段は、前記特定処理の完了後、前記検知手段が反射面からの前記反射光を検知すると、当該反射面の周期情報が示す期間に基づき前記マスク期間を設定することを特徴とする請求項１から７のいずれか1項に記載の画像形成装置。
【請求項９】
感光体と、
複数の反射面を有し、回転駆動されることで前記複数の反射面それぞれで反射された反射光により前記感光体を走査する回転多面鏡と、
前記回転多面鏡による反射光を検知し、検知したタイミングを示す信号を出力する検知手段と、
前記複数の反射面それぞれの周期情報であって、反射面の周期情報は、当該反射面で反射された光を前記検知手段が検知してから当該反射面の次の反射面で反射された光を前記検知手段が検知するまでの期間を示す、前記周期情報を格納する格納手段と、
前記信号が示す隣接するタイミング間の検出期間と前記周期情報とに基づき、前記複数の反射面のうちの光を反射する反射面を特定する特定処理を行う制御手段と、を備え、
前記制御手段は、
前記検知手段が前記反射光を検知すると、前記信号の検知を行わないマスク期間を設定し、
前記特定処理において、前記検知手段が前記反射光を最初に検知してから前記回転多面鏡の（ｋ−１）回転目（ｋは２以上の整数）における前記検出期間に基づき、前記回転多面鏡のｋ回転目における前記マスク期間を設定することを特徴とする画像形成装置。
【請求項１０】
前記回転多面鏡は、ｐ個（ｐは２以上の整数）の反射面を有し、
前記制御手段は、前記特定処理において、前記回転多面鏡の（ｋ−１）回転目におけるｑ番目（ｑは１からｐの整数）の前記検出期間に基づき、前記回転多面鏡のｋ回転目において、前記検知手段がｑ番目に前記反射光を検出した際の前記マスク期間を設定することを特徴とする請求項９に記載の画像形成装置。
【請求項１１】
感光体と、
複数の反射面を有し、回転駆動されることで前記複数の反射面それぞれで反射された反射光により前記感光体を走査する回転多面鏡と、
前記回転多面鏡による反射光を検知し、検知したタイミングを示す信号を出力する検知手段と、
前記複数の反射面それぞれの周期情報であって、反射面の周期情報は、当該反射面で反射された光を前記検知手段が検知してから当該反射面の次の反射面で反射された光を前記検知手段が検知するまでの期間を示す、前記周期情報を格納する格納手段と、
前記検知手段が出力する前記信号が示す隣接するタイミング間の検出期間と前記周期情報とに基づき、前記複数の反射面のうちの光を反射する反射面を特定する特定処理を行う制御手段と、を備え、
前記制御手段は、
前記特定処理において、前記検知手段が前記反射光を検知すると、前記信号の検知を行わないマスク期間を設定し、
前記制御手段は、所定値より短い検出期間を検出すると、当該検出期間の開始のタイミングを無効とすることを特徴とする画像形成装置。
【請求項１２】
前記所定値は、前記複数の反射面それぞれの周期情報が示す期間のうちの最も短い期間であることを特徴とする請求項１１に記載の画像形成装置。
【発明の詳細な説明】
【技術分野】
【０００１】
本発明は、電子写真方式の画像形成装置に関する。
【背景技術】
【０００２】
電子写真方式の画像形成装置は、帯電された感光体を光で走査・露光することで感光体に静電潜像を形成する。感光体の光による走査・露光は、複数の反射面を有するポリゴンミラー（回転多面鏡）により行われる。具体的には、ポリゴンミラーを回転させることで、反射面による光の反射方向を変化させ、この反射光により感光体を主走査方向に走査・露光している。光を反射するポリゴンミラーの面の形状は面毎に異なる。面の形状が面毎に異なると、それぞれの面で反射された光によって感光体の外周面に形成される潜像が歪んでしまう。
【０００３】
そこで、特許文献１では、入力される主走査同期信号（以下、ＢＤ信号と呼ぶ。）の隣接するパルスの時間間隔に基づいて、レーザ光が偏向されるポリゴンミラーの面を画像コントローラが特定（面特定）する構成が述べられている。具体的には、画像コントローラは、隣接するパルスの時間間隔を測定し、測定結果に基づいてそれぞれのパルスに対応する面を特定する処理を行う。画像コントローラは、画像データに対して、それぞれの面に対応する補正（画像の書き出し位置等の補正）を行う。画像形成は、補正された画像データに基づいて行われる。なお、面特定は１ページ目の画像が形成される前に行われる。なお、以下の説明において、ＢＤ信号が示す、ＢＤセンサが光を検知したタイミングをＢＤタイミングと呼び、ＢＤタイミングを検知することを"ＢＤ信号を検知する"との表現も使用する。
【０００４】
また、特許文献２は、ＢＤ信号にノイズが混入したとしても当該ノイズを検出しないようにマスク期間を設ける構成を開示している。
【先行技術文献】
【特許文献】
【０００５】
【特許文献１】特開２０１３−１１７６９９号公報
【特許文献２】特開２０１７−０３７２６０号公報
【発明の概要】
【発明が解決しようとする課題】
【０００６】
前述したように、ポリゴンミラーの面の形状は、製造ばらつきにより面毎に異なる。このため、ＢＤ信号における隣接するパルスの時間間隔も面ごとに異なる。例えば、前記特許文献１のような面特定処理を実行しているとき（即ち、面特定が完了していないとき）に前記特許文献２のようなマスク期間を設ける場合、マスク期間は、それぞれの面に対応するパルスの時間間隔のうち最も短い時間間隔に基づいて設定される必要がある。このような構成においては、面特定処理の間にＢＤ信号にノイズが混入し、当該ノイズに起因して反射面の誤検出が生じ得る。
【０００７】
本発明は、高精度に反射面を決定することを目的とするものである。
【課題を解決するための手段】
【０００８】
本発明の一態様によると、画像形成装置は、感光体と、複数の反射面を有し、回転駆動されることで前記複数の反射面それぞれで反射された反射光により前記感光体を走査する回転多面鏡と、前記回転多面鏡による反射光を検知し、検知したタイミングを示す信号を出力する検知手段と、前記複数の反射面それぞれの周期情報であって、反射面の周期情報は、当該反射面で反射された光を前記検知手段が検知してから当該反射面の次の反射面で反射された光を前記検知手段が検知するまでの期間を示す、前記周期情報を格納する格納手段と、前記検知手段が出力する前記信号が示す隣接するタイミング間の検出期間と前記周期情報とに基づき、前記複数の反射面のうちの光を反射する反射面を特定する特定処理を行う制御手段と、を備えており、前記制御手段は、前記特定処理において、前記検知手段が前記反射光を検知すると、前記信号の検知を行わないマスク期間を設定し、前記特定処理の開始後、前記検知手段が前記反射光を最初に検知してから前記回転多面鏡が１回転するまでの間、前記複数の反射面それぞれの周期情報が示す期間のうちの最も短い期間に基づき、前記マスク期間を設定することを特徴とする。
【発明の効果】
【０００９】
本発明によると、高精度に反射面を決定することができる。
【図面の簡単な説明】
【００１０】
【図１】一実施形態による画像形成装置の構成図。
【図２】一実施形態による光走査装置の構成図。
【図３】一実施形態によるポリゴンミラーを示す図。
【図４】一実施形態によるＢＤ信号を示す図。
【図５】一実施形態によるマスクパターンを示す図。
【図６】一実施形態によるマスクパターンを示す図。
【図７】一実施形態によるＢＤ信号検出及び反射面特定処理のフローチャート。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
図１は、本実施形態による画像形成装置１００の構成図である。画像形成装置１００は、それぞれ、イエロー、マゼンタ、シアン、ブラックの画像を形成する画像形成部１０１Ｙ、１０１Ｍ、１０１Ｃ、１０１Ｋを有する。なお、画像形成部１０１Ｙ、１０１Ｍ、１０１Ｃ、１０１Ｋの構成は、使用するトナーの色以外は同様である。また、以下の説明において、色を区別する必要がない場合には、末尾の文字Ｙ、Ｍ、Ｃ、Ｋを省略した参照符号を使用する。画像形成時、感光体１０２は、図の反時計回り方向に回転駆動される。帯電装置１０３は、感光体１０２の表面を一様な電位に帯電させる。光走査装置１０４は、帯電された感光体１０２を光で走査・露光し、感光体１０２に静電潜像を形成する。現像装置１０５は、感光体１０２の静電潜像をトナーで現像して感光体１０２にトナー像を形成する。一次転写装置１１１は、一次転写バイアスを出力することで、感光体１０２の静電潜像を中間転写ベルト１０７に転写する。なお、各感光体１０２のトナー像を中間転写ベルト１０７に重ねて転写することでフルカラーのトナー像を中間転写ベルト１０７に形成することができる。
【００１３】
中間転写ベルト１０７は、駆動ローラ１０８と、従動ローラ１０９及び１１０と、により張架され、画像形成時、図の時計回り方向に回転駆動される。したがって、中間転写ベルト１０７に転写されたトナー像は、二次転写装置１１２の対向位置へと搬送される。一方、手差し給送カセット１１４又は給紙カセット１１５のシートＳは、中間転写ベルト１０７のトナー像が二次転写装置１１２の対向位置に到達するタイミングに合わせて二次転写装置１１２の対向位置に到達する様に搬送される。二次転写装置１１２は、二次転写バイアスを出力して、中間転写ベルト１０７のトナー像をシートＳに転写する。トナー像が転写されたシートＳは、定着装置１１３に搬送される。定着装置１１３は、シートＳを加熱・加圧して、トナー像をシートＳに定着させる。トナー像の定着後、シートＳは、画像形成装置１００外に排出される。
【００１４】
図２は、光走査装置１０４の構成を示している。光走査装置１０４は、１つ以上のレーザ光（光ビーム）を射出する光源２０１を備えている。コリメータレンズ２０２は、光源２０１が射出した光ビームを平行光に整形し、シリンドリカルレンズ２０３は、コリメータレンズ２０２を通過した光ビームを副走査方向（感光体の回転方向に対応する方向）へ集光する。ポリゴンミラー（回転多面鏡）２０４は、本例では４つである複数の反射面を有する。シリンドリカルレンズ２０３を通過した光ビームは、ポリゴンミラー２０４の反射面で反射・偏向される。ポリゴンミラー２０４を回転駆動することで、ポリゴンミラー２０４で偏向された光ビームは、感光体１０２を主走査方向に走査・露光する。また、感光体１０２の走査方向において、感光体１０２の上流側には、ＢＤセンサ２０７が設けられる。ＢＤセンサ２０７は、感光体１０２の１つの走査線への走査開始前のポリゴンミラー２０４による反射光を検知する。そして、ＢＤセンサ２０７は、光ビームを検知したタイミングを示す水平同期信号（ＢＤ信号）を出力する。
【００１５】
制御部２０８は、画像形成装置１００の全体を制御する。制御部２０８には、不図示の画像コントローラから画像データが入力される。制御部２０８は、ＢＤセンサ２０７からのＢＤ信号に基づき感光体１０２への画像の書き出しタイミングを判定する。また、制御部２０８は、ＢＤ信号が示すタイミング間の間隔によりポリゴンミラー２０４の回転速度を検知する。そして、制御部２０８は、ポリゴンミラー２０４が所定の回転速度となるようにポリゴンミラー駆動部２１１に加速減速を指示する。ポリゴンミラー駆動部２１１は、加速減速信号に応じてポリゴンミラー２０４の回転を制御する。また、メモリ２０９は、不揮発性メモリ及び揮発性メモリの総称であり、制御部２０８が制御に使用するデータや、制御部２０８のＣＰＵが実行するプログラム等を格納する。
【００１６】
図３は、ポリゴンミラー２０４を回転軸方向から見た図である。上述した様に、本実施形態において、ポリゴンミラー２０４は、第１反射面から第４反射面の計４つの反射面を有する。なお、４つの反射面は例示であり、その他の数であっても良い。ポリゴンミラー２０４は、図の反時計回りの方向に回転駆動される。図３に示す様に、製造上のばらつき等によりポリゴンミラー２０４は、回転軸方向から見たときに正方形ではない。つまり、各反射面の長さは同じではない。図４は、ポリゴンミラー２０４を所定速度で回転させている間に観測されるＢＤ信号を示している。図４の参照符号４０１から４０４は、それぞれ、第１反射面から第４反射面で反射された光ビームをＢＤセンサ２０７が検知したタイミングを示している。また、参照符号４０５は、ポリゴンミラー２０４が一周して、第１反射面での反射光をＢＤセンサ２０７が検知したタイミグを示している。ポリゴンミラー２０４は不等長多角形であるため、ＢＤセンサ２０７が光を検知するタイミング間の時間Ｔ１〜Ｔ４は、それぞれ異なる。
【００１７】
以下、本実施形態による面特定処理と、ＢＤ信号のマスク期間の設定方法について説明する。なお、以下の説明において、第１反射面から第４反射面それぞれについて予め測定されたＢＤ周期をＴ１〜Ｔ４とする。ここで、第１反射面のＢＤ周期とは、第１反射面で反射された光をＢＤセンサ２０７が検知したタイミングから、第１反射面の次の第２反射面で反射された光をＢＤセンサ２０７が検知したタイミングまでの期間である。同様に、第２反射面のＢＤ周期とは、第２反射面で反射された光をＢＤセンサ２０７が検知したタイミングから、第２反射面の次の第３反射面で反射された光をＢＤセンサ２０７が検知したタイミングまでの期間である。第３反射面のＢＤ周期及び第４反射面のＢＤ周期も同様である。なお、本例では、ＢＤ周期の最小値をＴ４とする。画像形成装置１００のメモリ２０９には、予め測定されたＢＤ周期Ｔ１〜Ｔ４が周期情報として格納されている。
【００１８】
また、本実施形態では、各ＢＤ周期に加えて、ポリゴンミラー２０４の回転に生じるジッタ等によるＢＤ周期の変動量の最大値Ｔｊも予め測定してメモリ２０９に格納しておく。ＢＤ周期の変動量の最大値Ｔｊは、マスク期間の設定においてマージンとして使用される。制御部２０８は、ポリゴンミラー２０４の回転速度が所定の目標速度の近傍で安定すると面特定処理を開始する。制御部２０８は、面特定処理を開始すると、ＢＤ信号のマスク期間を設定する。制御部２０８は、マスク期間の間、ＢＤ信号の監視を行わない。以下の図において、ＢＤ信号のマスク状態をマスク信号で表す。具体的には、マスク信号がハイレベルの間（マスク期間）、制御部２０８は、ＢＤ信号の監視をマスクし、マスク信号がローレベルの間（非マスク期間）、制御部２０８は、ＢＤ信号の監視を行う。
【００１９】
図５（Ａ）は、面特定処理を開始後、最初のＢＤ信号を検知してから、ポリゴンミラー２０４が１回転する間のマスクパターン＃１を示している。図５（Ａ）に示す様に、制御部２０８は、ＢＤ信号を検知すると、ＢＤ周期の最小値Ｔ４からＢＤ周期の変動量の最大値Ｔｊを減じた期間（Ｔ４−Ｔｊ）はＢＤ信号の検知を行わず、期間（Ｔ４−Ｔｊ）が経過するとＢＤ信号の検知を行う。また、制御部２０８は、それぞれのＢＤ周期（検出期間）、つまり、隣接するＢＤ信号の検知タイミング間の期間を測定する。図５（Ａ）では、時間順に、周期Ｔａ１、Ｔｂ１、Ｔｃ１及びＴｄ１が測定されている。
【００２０】
図５（Ｂ）は、面特定処理を開始後、ポリゴンミラー２０４の２回転目におけるマスクパターン＃２を示している。制御部２０８は、１回転目に測定した周期Ｔａ１、Ｔｂ１、Ｔｃ１及びＴｄ１それぞれから変動量の最大値Ｔｊを減じた期間だけＢＤ信号をマスクする。図５（Ａ）に示す様に、１回転目における最初の反射面に対応する測定値はＴａ１であるため、２回転目の最初の反射面によるＢＤ信号を検知すると、制御部２０８は、期間（Ｔａ１−Ｔｊ）の間、ＢＤ信号をマスクする。２番目から４番目の反射面についても同様である。さらに、制御部２０８は、ポリゴンミラー２０４の３回転目においては、２回転目の各検出期間からＴｊを減じた期間だけＢＤ信号をマスクする。より一般的には、ポリゴンミラー２０４が、ｐ個の反射面を有するものとする。また、ポリゴンミラー２０４のｋ回転目（ｋは２以上の整数）に測定された、ｑ番目（ｑは１からｐの整数）の反射面に対応するＢＤ周期をＴｑｋとする。この場合、制御部２０８は、ポリゴンミラー２０４の（ｋ＋１）回転目において、ｑ番目の反射面によるＢＤ信号を検知すると、期間（Ｔｑｋ−Ｔｊ）の間、ＢＤ信号をマスクする。図５（Ｃ）は、本例におけるｐ＝４の場合を示している。図５（Ｃ）に示す様に、制御部２０８は、ポリゴンミラー２０４の（ｋ＋１）回転目において、１番目〜４番目の反射面によるＢＤ信号を検知すると、それぞれ、期間（Ｔａｋ−Ｔｊ）、（Ｔｂｋ−Ｔｊ）、（Ｔｃｋ−Ｔｊ）、（Ｔｄｋ−Ｔｊ）の間、ＢＤ信号の検知を行わない。
【００２１】
図６（Ａ）は、ＢＤ信号の非マスク期間（検知期間）において、ＢＤ信号にノイズが混入した場合を示している。非マスク期間のノイズによりＢＤ信号を誤検知すると、誤検知したタイミングと、次のＢＤ信号の検知タイミングとの間の期間Ｔｅは、通常のＢＤ周期より短くなる。したがって、測定された期間Ｔｅが所定値（閾値）より小さいと、当該期間Ｔｅの開始タイミングは、誤検知によるとものと判定して無効とすることで、正しくＢＤ周期を測定することができる。なお、所定の閾値には、予め測定され、メモリ２０９に格納されているＢＤ周期の最小値であるＴ４を使用することができる。
【００２２】
図６（Ｂ）は、面特定処理完了後のマスクパターン＃ｆを示している。面特定処理後においては、予め測定した各反射面に対応するＢＤ周期、即ち、メモリに記憶されているＢＤ周期Ｔ１〜Ｔ４から変動量の最大値Ｔｊを減じた期間だけＢＤ信号をマスクする。
【００２３】
図７は、本実施形態によるＢＤ信号検出及び面特定処理のフローチャートを示している。制御部２０８は、Ｓ１０で、ｋを１に初期化する。制御部２０８は、Ｓ１１でマスクパターン＃ｋを使用してＢＤ周期を測定する。Ｓ１０でｋは１に初期化されているため、最初のＳ１１において、制御部２０８は、図５（Ａ）に示すマスクパターン＃１を使用してＢＤ周期を測定する。なお、図６（Ａ）で説明した様に、測定されたＢＤ周期が閾値より小さい場合、当該ＢＤ周期の開始タイミングについては誤検知であるものとして無効にする。制御部２０８は、Ｓ１２で、ポリゴンミラー２０４が１回転したかを判定し、１回転するまでＢＤ周期を測定する。ポリゴンミラー２０４が１回転すると、制御部２０８は、Ｓ１３で、測定した各ＢＤ周期をメモリ２０９に保存し、Ｓ１４で、所定回数の測定が終了したかを判定する。所定回数の測定が終了していないと、制御部２０８は、Ｓ１５でｋを１だけ増加させて、Ｓ１１から処理を繰り返す。所定回数の測定が終了していると、制御部２０８は、Ｓ１６で、各ＢＤ周期の平均値を求める。例えば、所定回数をｎ回とすると、図５（Ａ）〜（Ｃ）で説明した様に、ポリゴンミラー２０４のｎ回転における１番目の反射面によるＢＤ周期の測定値は、Ｔａ１〜Ｔａｎである。同様に、ポリゴンミラー２０４のｎ回転における２番目、３番目、４番目の反射面によるＢＤ周期の測定値は、それぞれ、Ｔｂ１〜Ｔｂｎ、Ｔｃ１〜Ｔｃｎ、Ｔｄ１〜Ｔｄｎである。制御部２０８は、Ｓ１６で、Ｔａ１〜Ｔａｎの平均値Ｔａと、Ｔｂ１〜Ｔｂｎの平均値Ｔｂと、Ｔｃ１〜Ｔｃｎの平均値Ｔｃと、Ｔｄ１〜Ｔｄｎの平均値Ｔｄと、をそれぞれ求める。
【００２４】
制御部２０８は、Ｓ１７で、予め測定してメモリ２０９に格納されているＢＤ周期Ｔ１〜Ｔ４と、平均値Ｔａ〜Ｔｄとを比較することで、ポリゴンミラー２０４の反射面を特定する。そして、反射面の特定後のＳ１８においては、図６（Ｂ）で説明した様に、マスクパターン＃ｆを使用してＢＤ信号の検知を行う。また、反射面の特定後、制御部２０８は、光を反射した反射面に応じた補正データで画像データを補正する。なお、各反射面に応じた補正データも予めメモリ２０９に格納されている。
【００２５】
なお、本実施形態では、ポリゴンミラー２０４の製造ばらつきにより各反射面のＢＤ周期が異なるものとしたが、各反射面のＢＤ周期が異なる様にポリゴンミラー２０４を加工することもできる。なお、各反射面に対応するＢＤ周期が総て異なっている必要はなく、少なくとも１つの反射面に対応するＢＤ周期が他のＢＤ周期と異なれば、反射面を特定することができる。
【００２６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２７】
１０５Ｙ、１０５Ｍ、１０５Ｃ、１０５Ｋ：感光体、２０４：ポリゴンミラー、２０７：ＢＤセンサ、２０９：メモリ、２０８：制御部
【図１】
2019211602.tif 000003
【図２】
2019211602.tif 000004
【図３】
2019211602.tif 000005
【図４】
2019211602.tif 000006
【図５】
2019211602.tif 000007
【図６】
2019211602.tif 000008
【図７】
2019211602.tif 000009